(57)【要約】【課題】略透明の庇部の損傷を防止しつつ庇部をヘルメット本体に好適に一体形成することができ、材料選定の自由度を高めることが可能なヘルメットを提供する。【解決手段】略半球状のヘルメット本体１の前部１ａ側に、前方に向けて突出する略透明の庇部２を備えたヘルメットＡであって、庇部２は、ヘルメット本体１の両側部１ｂ側から延びる外周枠部３によって略透明の庇本体５が全周を囲われて接合されてなる。また、庇本体５の外周５ａ側には、断面略Ｌ字状に屈曲した屈曲部が形成されており、この屈曲部が、外周枠部３及び前部１ａに埋設されつつ接合されている。【選択図】図１
2007303023.tif 000002
【特許請求の範囲】
【請求項１】
略半球状のヘルメット本体の前部側に、前方に向けて突出する略透明の庇部を備えたヘルメットであって、
前記庇部は、前記ヘルメット本体の両側部側から延びる外周枠部によって略透明の庇本体が全周を囲われて接合されてなることを特徴とするヘルメット。
【請求項２】
請求項１記載のヘルメットにおいて、
前記庇本体の外周側には、断面略Ｌ字状に屈曲した屈曲部が形成されており、該屈曲部が、前記外周枠部及び前記前部に埋設されつつ接合されていることを特徴とするヘルメット。
【請求項３】
請求項１または請求項２に記載のヘルメットにおいて、
前記庇本体の前記ヘルメット本体の両側部側には、前記ヘルメット本体の後部に向けて延びて前記ヘルメット本体の外面に接合する延出部が設けられており、該延出部と前記ヘルメット本体のそれぞれの接合面には、接合状態で係合する凸部または凹部が形成されていることを特徴とするヘルメット。
【発明の詳細な説明】
【技術分野】
【０００１】
本発明は、ヘルメット本体の前部側に、前方に向けて突出する略透明の庇部を備えたヘルメットに関する。
【背景技術】
【０００２】
従来、略半球状でドーム型に形成されたヘルメット本体の前部側に、前方に向けて突出して落下物などから使用者の顔面を保護する庇部を備えたヘルメットがある。また、この種のヘルメットには、庇部を透明部材で形成し、使用者の顔面を保護しつつ視界を拡大させたり、太陽光などの光が庇部を透過することで使用者の顔面を明るくして、使用者の視認性や安全性を向上させるようにしたものがある。
【０００３】
一般に、略透明の庇部を備えたヘルメットでは、庇部の後部をヘルメット本体の前部に固着させて、庇部を片持ち状態でヘルメット本体と一体に接合している。そして、このようなヘルメットは、ヘルメット本体の形状に合ったキャビティーを形成する金型に予め成形した庇部をセットし、キャビティー内に成形材料を注入することでヘルメット本体の成型を行ない、これと同時に庇部をヘルメット本体と一体に接合するようにしている。
【０００４】
また、例えば特許文献１に開示されたヘルメットでは、庇部の後部側に平行な２つの側面を備えた接合片が形成され、ヘルメット本体の前部側にこの接合片を埋設させつつ両側面を固着させて庇部をヘルメット本体に接合し、或いはヘルメット本体の前部に接合片の一側面を固着させて庇部をヘルメット本体と重なるようにして接合させている。さらに、このヘルメットでは、ヘルメット本体の両側部から前方に突出する突起部が形成され、この突起部と前部の両側部側で画成される凹部に庇部の両側端部を嵌合させつつ接合することによって、片持ち状態の庇部とヘルメット本体の接合強度を高めるようにしている。
【０００５】
また、特許文献１には、庇部の接合片に係止部および／または係止穴を形成しておき、ヘルメット本体の成形材料が係止部および／または係止穴に流れ込むようにすることによって、庇部とヘルメット本体の接合強度をさらに高める工夫も提案されている。
【特許文献１】特許第２９８４６９９号公報
【発明の開示】
【発明が解決しようとする課題】
【０００６】
しかしながら、上記の特許文献１に開示されたヘルメットでは、接合片の平行な両側面または一方の側面を接合し、且つ凹部に両側端部を嵌合させて庇部をヘルメット本体に接合させても、やはり片持ち状態で庇部がヘルメット本体に接合されているため、ヘルメットを落とすなどして庇部の自由端である先端側（庇部の前部側）に衝撃などの外力が作用すると、庇部がヘルメット本体から外れてしまうおそれがあった。また、透明部材の庇部の先端側に直接外力が作用すると、傷や破損が生じてその透明性が損なわれ、視認性や安全性の低下を招くという問題があった。
【０００７】
また、上記のようにインサート成形でヘルメット本体と庇部を接合する場合には、溶融したヘルメット本体の成形材料が接触するとともに庇部の接合片の一部が溶融し、互いが混ざり合うことによってヘルメット本体と庇部が一体に接合することになる。このため、溶融したヘルメット本体の成形材料が接触した際に庇部の接合片が溶融する必要があり、例えばヘルメット本体と同材料で庇部を形成したり、ヘルメット本体の成形材料よりも低融点の材料で庇部を成形する必要が生じて、材料選定の自由度が低くなるという問題があった。
【０００８】
さらに、庇部の接合片に係止部および／または係止穴を形成して、庇部とヘルメット本体の接合強度を高くするようにした場合には、庇部を形成するための金型構造が複雑になり、金型コストひいてはヘルメットの製造コストの増大を招くという問題があった。
【０００９】
本発明は、上記事情を鑑み、略透明の庇部の損傷を防止しつつ庇部をヘルメット本体に好適に一体形成することができ、材料選定の自由度を高めることが可能なヘルメットを提供することを目的とする。
【課題を解決するための手段】
【００１０】
上記の目的を達するために、この発明は以下の手段を提供している。
【００１１】
本発明のヘルメットは、略半球状のヘルメット本体の前部側に、前方に向けて突出する略透明の庇部を備えたヘルメットであって、前記庇部は、前記ヘルメット本体の両側部側から延びる外周枠部によって略透明の庇本体が全周を囲われて接合されてなることを特徴とする。
【００１２】
このヘルメットにおいては、略透明の庇本体が、外周をヘルメット本体の外周枠部と前部に接合させつつこれらに囲まれた状態で設けられていることによって、従来の庇部が片持ち状態で設けられた場合と比較して、庇本体ひいては庇部を確実に安定した状態でヘルメット本体と一体形成することができる。また、庇本体の前部側が外周枠部で覆われているため、庇部の先端に衝撃などの外力が作用しても外周枠部によってこの外力が直接庇本体に作用することを防止できる。
【００１３】
さらに、庇本体が外周枠部と前部に囲まれて安定した状態で設けられるため、溶融したヘルメット本体の成形材料が接触する際に庇本体を溶融させることを不要にできる。
【発明の効果】
【００１４】
本発明のヘルメットによれば、略透明の庇本体が、その外周がヘルメット本体の外周枠部と前部で囲まれて安定した状態でヘルメット本体と一体形成されることによって、庇部に外力が加わった際にもヘルメット本体から外れることを確実に防止できる。また、略透明の庇本体が外周枠部で保護されているため、庇本体の損傷を防止でき、その透明性が損なわれて視認性や安全性が低下することを防止できる。
【００１５】
さらに、溶融したヘルメット本体の成形材料が接触した際に庇本体を溶融させる必要がないため、例えばヘルメット本体と同材料で庇本体を形成したり、ヘルメット本体の成形材料よりも低融点の材料で庇本体を成形する必要がなく、材料選定の制約が少なくなり自由度を高めることができる。また、従来のヘルメットのように、庇部の接合片に係止部および／または係止穴を形成して、庇部とヘルメット本体の接合強度を高くする必要がなく、庇本体を形成するための金型構造を簡素にすることができ、金型コストひいてはヘルメットの製造コストを低減させることができる。
【発明を実施するための最良の形態】
【００１６】
本発明の実施形態によるヘルメットは、前記庇本体の外周側に断面略Ｌ字状に屈曲した屈曲部が形成され、該屈曲部が、前記外周枠部及び前記前部に埋設されつつ接合されている。これにより、屈曲部の２面がヘルメット本体の外周枠部及び前部に覆われて接合することになり、従来の略透明の庇部と比較して、接合強度を増大させることができ、確実に安定した状態で略透明な庇本体（庇部）をヘルメット本体に一体形成することが可能になる。また、屈曲部の２面とともに庇本体の屈曲部近傍の２面が外周枠部及び前部に埋設されて接合されるようにすれば、接合強度が一層向上する。
【００１７】
また、前記庇本体には、前記ヘルメット本体の両側部側に、前記ヘルメット本体の後部に向けて延びて前記ヘルメット本体の外面に接合する延出部が設けられており、該延出部と前記ヘルメット本体のそれぞれの接合面には、接合状態で係合する凸部または凹部が形成されている。これにより、庇本体とヘルメット本体との接合面積を増大させることができるとともに、延出部とヘルメット本体とが、係合した凸部と凹部によって強固に一体とされるため、庇本体ひいては庇部をヘルメット本体により確実に安定した状態で接合することが可能になる。
【実施例】
【００１８】
以下、図１から図３を参照し、本発明の実施例によるヘルメットについて説明する。本実施例は、例えば警備や建設工事などで使用されるヘルメットに関し、使用者の顔面を保護する庇部を略透明にして視認性や安全性を向上させたヘルメットに関する。
【００１９】
本実施例のヘルメットＡは、図１及び図２に示すように、略半球状でドーム型に形成されたヘルメット本体１の前部１ａ側に、前方に突出して使用者の顔面を保護する庇部２を備えて構成されている。
【００２０】
ヘルメット本体１は、例えばＡＢＳ樹脂（アクリロニトリルブタジエンスチレン共重合体）で成形されたものである。また、このヘルメット本体１には、前部１ａ側の両側部１ｂ側からそれぞれ前方に向けて延出しつつ延出方向先端側が互いに繋がって庇部２の外周枠を形成する外周枠部３が設けられている。これにより、本実施例のヘルメット本体１には、外周枠部３と前部１ａで囲まれた閉鎖空間４が形成されている。
【００２１】
一方、庇部２は、図１から図３に示すように、ヘルメット本体１の外周枠部３と、略透明の庇本体５とから構成されている。庇本体５は、例えばポリカーボネートなどで形成された略透明の部材であり、ヘルメット本体１の前部１ａと外周枠部３とに外周５ａが接合し、前部１ａと外周枠部３で画成された空間４を埋めるように設けられている。また、庇本体５の外周５ａ側には、断面略Ｌ字状に屈曲した屈曲部６が設けられており、この屈曲部６及び庇本体５の屈曲部６近傍の部分がヘルメット本体１の前部１ａ側及び外周枠部３に埋設しつつ接合して、庇本体５がヘルメット本体１に一体形成されている。すなわち、庇本体５は、屈曲部６の表裏の２面６ａ、６ｂと、庇本体５の屈曲部６近傍の表裏の２面５ｂ、５ｃとが、ヘルメット本体１の前部１ａ及び外周枠部３に覆われてこれらに接合されている。
【００２２】
そして、このようにヘルメット本体１に一体形成された庇本体５は、その外周５ａがヘルメット本体１の前部１ａと外周枠部３に接合されてこれらに囲まれた状態で設けられているため、すなわち、庇本体５の前部５ｄ側が外周枠部３に、後部５ｅ側がヘルメット本体１の前部１ａに支持されて大きな接合面積をもって設けられているため、従来のヘルメットのように、透明の庇部が先端側（庇部の前部側）を自由端とした片持ち状態で設けられた場合と比較して、確実に安定した状態でヘルメット本体１と一体形成される。また、このとき、屈曲部６の表裏の２面６ａ、６ｂと、庇本体５の屈曲部６近傍の表裏の２面５ｂ、５ｃとがヘルメット本体１の前部１ａ及び外周枠部３に覆われて接合されることによって、接合強度がさらに増大し、より確実に安定した状態で透明な庇本体５が具備される。
【００２３】
このように構成した本実施例のヘルメットＡは、ヘルメット本体１の形状に相応するキャビティーを形成する一対の金型に、予め形成した庇本体５をセットし、一対の金型のキャビティー内に溶融したＡＢＳ樹脂などの成形材料を注入して成型される。このとき、従来のヘルメットのように、溶融した高温の成型材料が接触するとともに、庇本体５の屈曲部６やこの屈曲部６近傍の部分を溶かして互いを接合する必要はない。すなわち、庇本体５が、前部１ａと外周枠部３に囲まれて、且つ屈曲部６の表裏２面６ａ、６ｂと、屈曲部６近傍の表裏２面５ｂ、５ｃが成型材料に覆われて、安定した状態でヘルメット本体１に接合されるため、従来のヘルメットのように、ヘルメット本体１と略透明の庇本体５を同材料としたり、ヘルメット本体１の成形材料よりも低融点の材料で庇本体５を成形する必要がない。よって、本実施例では、ヘルメット本体１がＡＢＳ樹脂で形成され、庇本体５がポリカーボネートで形成されるものとしたが、特に各部材の材料は限定を必要とせず、各部材を成形するための材料の制約が少なくなり、材料選定の自由度が高くなる。
【００２４】
したがって、本実施例のヘルメットＡによれば、略透明の庇本体５が、ヘルメット本体１の前部１ａと外周枠部３で囲まれて安定した状態でヘルメット本体１と一体形成されることによって、例えばヘルメットを落としたりして庇部２に衝撃などの外力が加わった際にもヘルメット本体１から外れることを防止できる。また、庇本体５が、外周枠部３で保護されているため、庇部２の先端側に外力が作用した場合においても、略透明の庇本体５が損傷することがなく、庇部２の透明性が損なわれて使用者の視認性や安全性が低下することを防止できる。
【００２５】
さらに、ヘルメット本体１の溶融した成形材料で庇本体５を溶融させて互いを接合する必要がないため、材料の制約が少なくなり材料選定の自由度を高めることができる。また、このとき、従来のヘルメットのように、庇部の接合片に係止部および／または係止穴を形成して、庇部とヘルメット本体の接合強度を高くする必要がないため、庇本体５を形成するための金型構造が複雑になることがなく、金型コストひいてはヘルメットＡの製造コストを低減させることができる。
【００２６】
ついで、図４から図６を参照し、本発明の実施例によるヘルメットＢについて説明する。なお、このヘルメットＢは、上記のヘルメットＡに対し、主に庇本体５の形状が異なり他の構成はほぼ同様である。よって、ここでは、ヘルメットＡと共通する構成に対して同一符号を付し、その詳細についての説明を省略する。
【００２７】
ヘルメットＢは、図４及び図５に示すように、庇本体５のヘルメット本体１の両側部１ｂ側に、ヘルメット本体１の後部１ｃ側に延びる延出部７が設けられている。この延出部７は、表裏の２面７ａ、７ｂのうち一方の面（接合面）７ａがヘルメット本体１の側部１ｂ側の外面１ｄに埋設された状態で固着されてヘルメット本体１と接合されている。また、他方の面７ｂは、ヘルメット本体１の外面１ｄに連続する外周面を形成している。さらに、このとき、図６に示すように、延出部７の一方の面７ａとこの一方の面７ａが接合するヘルメット本体１の外面（接合面）１ｄには、接合状態で互いに係合する凸部８と凹部９が形成されている。
【００２８】
このように形成された庇本体５は、その全周を囲うヘルメット本体１の外周枠部３及び前部１ａと強固に接合されるとともに、延出部７の一方の面７ａがヘルメット本体１の外面１ｄに固着されてヘルメット本体１と接合されているため、より強固にヘルメット本体１に接合されて、これと一体とされている。さらに、延出部７とヘルメット本体１の外面１ｄとが、互いの面に形成した凸部８と凹部９が係合して一体とされていることによって、さらに確実に庇本体５ひいては庇部２がヘルメット本体１に安定した接合状態で接合される。
【００２９】
したがって、本実施例のヘルメットＢによれば、庇本体５に延出部７が設けられるとともに、この延出部７とヘルメット本体１に互いに係合する凸部８と凹部９が設けられていることによって、庇本体５ひいては庇部２のヘルメット本体１への接合強度を大幅に増大させることができる。これにより、庇部２に外力が作用した場合においても、確実に庇本体５がヘルメット本体１から外れることを防止できる。
【００３０】
なお、本発明は、上記の実施例に限定されるものではなく、その趣旨を逸脱しない範囲で適宜変更可能である。例えば、庇本体５は、少なくとも屈曲部６がヘルメット本体１の前部１ａと外周枠部３に埋設されて接合されていればよい。また、延出部７のヘルメット本体１と接合する一方の面７ａには、凸部８に代えて凹部９を設けてもよく、あるいは凸部８と凹部９が共に設けられていてもよい。
【図面の簡単な説明】
【００３１】
【図１】本発明の実施例によるヘルメットの斜視図である。
【図２】図１のＸ−Ｘ線矢視図である。
【図３】図２に示す庇部を拡大した断面図である。
【図４】本発明の実施例によるヘルメットの斜視図である。
【図５】図４のＹ−Ｙ線矢視図である。
【図６】図５に示す延出部を拡大した断面図である。
【符号の説明】
【００３２】
１      ヘルメット本体
１ａ    前部
１ｂ    側部
１ｃ    後部
１ｄ    外面（接合面）
２      庇部
３      外周枠部
４      空間（閉鎖空間）
５      庇本体
５ａ    外周
５ｂ    面（表面）
５ｃ    面（裏面）
５ｄ    庇本体の前部
５ｅ    庇本体の後部
６      屈曲部
６ａ    面（表面）
６ｂ    面（裏面）
７      延出部
７ａ    面（一方の面、接合面）
７ｂ    面（他方の面）
８      凸部
９      凹部
Ａ      ヘルメット
Ｂ      ヘルメット
【図１】
2007303023.tif 000003
【図２】
2007303023.tif 000004
【図３】
2007303023.tif 000005
【図４】
2007303023.tif 000006
【図５】
2007303023.tif 000007
【図６】
2007303023.tif 000008